(57)【要約】      （修正有）【課題】構造が簡易で、簡単に組み立てられ、固定板によりパネルと側面板とを分離不能に係合することにより連結部分が強固に固定されたパーティションを提供する。【解決手段】左右側端辺に突起１４を有する略矩形の薄板状のパネル１０と、パネルの突起を挿入可能な挿入孔２２を有する２枚の薄板状の側面板３０と、パネルと側面板とを分離不能に係合する薄板状の固定板４０、６０とを備え、パネルと側面板とが、パネルの突起と側面板の挿入孔との係合によって平面視略Ｈ字状に連結されており、固定板は、パネルと側面板とが平面視略Ｈ字状に連結されて形成された左右の連結部分の各上端部で、パネルと側面板を固定している。【選択図】図１
0003227675.tif 000002
【実用新案登録請求の範囲】
【請求項１】
空間を仕切る自立可能なパーティションであって、
左右側端辺に突起を有する略矩形の薄板状のパネルと、
前記パネルの前記突起を挿入可能な挿入孔を有する２枚の薄板状の側面板と、
前記パネルと前記側面板とを分離不能に係合する薄板状の固定板とを備え、
前記パネルと前記側面板とが、前記パネルの前記突起と前記側面板の前記挿入孔との係合によって平面視略Ｈ字状に連結されており、
前記固定板は、前記パネルと前記側面板とが前記平面視略Ｈ字状に連結されて形成された左右の連結部分の各上端部で、前記パネルと前記側面板を固定していることを特徴とするパーティション。
【請求項２】
前記パネルは、前記左右側端辺の上部に水平方向にパネル上部切込みを有し、
前記側面板は、前記パネル上部切込みと同じ高さ位置に水平方向に側面板水平孔、および、上端から垂直方向に側面板垂直切込みを有し、
前記固定板は、水平係合板と垂直係合板とからなり、
前記水平係合板は、前記側面板水平孔に挿通可能な水平係合板差し込み部を含み、前記水平係合板差し込み部に水平係合板孔、および、前記水平係合板差し込み部の先端部に前記パネル上部切込みと嵌合可能な水平係合板切込みを有し、
前記垂直係合板は、前記水平係合板孔に挿入可能な垂直係合板突出片、および、前記側面板垂直切込みと嵌合可能な垂直係合板切込みを有し、
前記水平係合板差し込み部が、前記側面板水平孔に挿通され、前記水平係合板切込みと前記パネル上部切込みとが嵌合し、
前記水平係合板が前記パネルおよび前記側面板に嵌合した状態で、前記垂直係合板を前記パネルに平行密着させつつ、前記垂直係合板突出片が前記水平係合板孔に挿通され、前記垂直係合板切込みと前記側面板垂直切込みとが嵌合していることによって、
前記パネルと前記側面板との前記連結部分が固定されていることを特徴とする請求項１に記載のパーティション。
【請求項３】
前記垂直係合板は、前記垂直係合板突出片を２つ有し、
２つの前記垂直係合板突出片は、それぞれ前記水平係合板孔と前記水平係合板切込みに挿通されていることを特徴とする請求項２に記載のパーティション。
【請求項４】
前記パネルは、複数の突起を有し、
前記側面板は、略台形状で、幅方向略中央に前記パネルの各前記突起に対応するように複数の前記挿入孔を有していることを特徴とする請求項１〜３のいずれか一項に記載のパーティション。
【請求項５】
前記パネルは、全部または一部が透明であることを特徴とする請求項１〜４のいずれか一項に記載のパーティション。
【考案の詳細な説明】
【技術分野】
【０００１】
本考案は、空間を仕切る自立可能なパーティションに関する。
【背景技術】
【０００２】
従来より、オフィス空間や居住空間などの空間を複数に区画する際、天井から床面にかけて固定式のパーティションを設置したり（特許文献１）、床面や机上に可動式のパーティションを立設したり（特許文献２）、天井からパーティションを吊り下げたり（特許文献３）して空間を分割している。近年、特に、ウィルスを含む飛沫の拡散を防止することを目的に、空間を区画するパーティションを設置する機会が増えている。
【先行技術文献】
【特許文献】
【０００３】
【特許文献１】特開２０２０−２６０８号公報
【特許文献２】特開２０１５−８６６１４号公報
【特許文献３】実用新案登録第３１５５６７２号公報
【考案の概要】
【考案が解決しようとする課題】
【０００４】
しかしながら、従来のパーティションは、構造が複雑であったり、設置や配置の変更に手間取ったりする等の問題がある。
【０００５】
本考案は、このような事情に鑑みてなされたもので、構造が簡易で、簡単に組み立てられ、連結部分が強固に固定されたパーティションを提供することを目的とする。
【課題を解決するための手段】
【０００６】
請求項１記載のパーティションは、左右側端辺に突起を有する略矩形の薄板状のパネルと、パネルの突起を挿入可能な挿入孔を有する２枚の薄板状の側面板と、パネルと側面板とを分離不能に係合する薄板状の固定板とを備え、パネルと側面板とが、パネルの突起と側面板の挿入孔との係合によって平面視略Ｈ字状に連結されており、固定板は、パネルと側面板とが平面視略Ｈ字状に連結されて形成された左右の連結部分の各上端部で、パネルと側面板を固定していることを特徴とする。
【０００７】
請求項２記載のパーティションは、パネルが、左右側端辺の上端部に水平方向にパネル上部切込みを有し、側面板が、パネル上部切込みと同じ高さ位置に水平方向に側面板水平孔、および、上端から垂直方向に側面板垂直切込みを有し、固定板が、水平係合板と垂直係合板とからなり、水平係合板は、側面板水平孔に挿通可能な水平係合板差し込み部を含み、水平係合板差し込み部に水平係合板孔、および、水平係合板差し込み部の先端部にパネル上部切込みと嵌合可能な水平係合板切込みを有し、垂直係合板は、水平係合板孔に挿入可能な垂直係合板突出片、および、側面板垂直切込みと嵌合可能な垂直係合板切込みを有し、水平係合板差し込み部が、側面板水平孔に挿通され、水平係合板切込みとパネル上部切込みとが嵌合し、水平係合板がパネルおよび側面板に嵌合した状態で、垂直係合板をパネルに平行密着させつつ、垂直係合板突出片が水平係合板孔に挿通され、垂直係合板切込みと側面板垂直切込みとが嵌合していることによって、パネルと側面板との連結部分が固定されていることを特徴とする。
【０００８】
請求項３記載のパーティションは、垂直係合板が、垂直係合板突出片を２つ有し、２つの垂直係合板突出片が、それぞれ水平係合板孔と水平係合板切込みに挿通されていることを特徴とする。
【０００９】
請求項４記載のパーティションは、パネルが、複数の突起を有し、側面板が、略台形状で、幅方向略中央に前記パネルの各突起に対応するように複数の前記挿入孔を有していることを特徴とする。
【００１０】
請求項５記載のパーティションは、パネルが、全部または一部が透明であることを特徴とする。
【考案の効果】
【００１１】
本考案によれば、構造が簡易で、簡単に組み立てられ、固定板によりパネルと側面板とを分離不能に係合することにより連結部分が強固に固定されたパーティションを提供することができる。
【図面の簡単な説明】
【００１２】
【図１】本考案に係るパーティションの第一の実施例を示す説明図である。
【図２】同第一の実施例のパーティションを構成するパネルを示す説明図である。
【図３】同第一の実施例のパーティションを構成する側面板を示す説明図である。
【図４】同第一の実施例のパーティションを構成する水平係合板を示す説明図である。
【図５】同第一の実施例のパーティションを構成する垂直係合板を示す説明図である。
【図６】同第一の実施例のパーティションの連結部分を示す説明図である。
【図７】同第一の実施例のパーティションの連結部分を示す説明図である。
【図８】同第一の実施例のパーティションの連結部分を示す部分拡大図である。
【図９】本考案に係るパーティションの第二の実施例の連結部分を示す正面視部分拡大図である。
【考案を実施するための形態】
【００１３】
以下、本考案の形態について図面を参照しながら具体的に説明する。
図１は、本考案に係るパーティションの第一の実施例を示す斜視図である。図２〜５は、同第一の実施例のパーティションを構成する各構成要素を示す説明図である。図２は、パネルを示す正面図、図３は側面板を示す左右側面図、図４は水平係合板を示す平面図、図５は垂直係合板を示す正面図である。図６〜８は、同第一の実施例のパーティションの連結部分を示す部分拡大図であり、図６は平面図、図７，８は斜視図である。図９は、本考案に係るパーティションの第二の実施例の連結部分を示す正面視部分拡大図である。
【００１４】
本考案に係るパーティション１は、机上や床面等に配置して空間を仕切るために用いられるものである。パーティション１は、自立可能なものであり、図１に示すように、パネル１０と、側面板２０，３０と、固定板４０，６０とを備えている。
【００１５】
パネル１０は、図２に示すように、略矩形の薄板状であって、左右側端辺１２にそれぞれ突起１４を有している。パネル１０は、一部に切欠き、小窓、貫通孔等を有していてもよい。パネル１０の材質は、任意であるが、例えば、ポリエチレンテレフタレート樹脂、アクリル樹脂、ポリプロピレン樹脂、ポリエステル樹脂等の樹脂、ガラス、木材等であり、透明、半透明、もしくは、不透明、または、遮光性を有するもの、さらには、着色されているものであってもよい。パネル１０の大きさは任意であるが、机上タイプであっても、より大きい床面設置タイプであってもよい。また、突起１４の形状は任意であるが、係合している孔から抜けにくくするために返し等が形成されていることが好ましい。
【００１６】
側面板２０，３０は、図３に示すような薄板状であって、左右２枚からなり、パネル１０の突起１４を挿入可能な挿入孔２２，３２を有している。側面板２０，３０の挿入孔２２，３２は、パネル１０の左右側端辺１２の突起１４と対応する位置、大きさに係合可能に設けられている。側面板２０，３０の形状は任意であるが、例えば、台形、矩形、楕円形等が挙げられる。また、側面板２０，３０の材質は、任意であるが、パネル１０と同じものであっても異なるものであってもよい。
【００１７】
固定板４０，６０は、薄板状であって、パネル１０と側面板２０，３０とを分離不能に係合するものである。固定板４０，６０と、パネル１０、側面板２０，３０との係合方法、形状は任意であり、固定板４０，６０を用いた固定によってパネル１０と側面板２０，３０との連結が分離不能であればよい。また、固定板４０，６０の材質は、任意であるが、パネル１０、側面板２０，３０と同じものであっても異なるものであってもよい。
【００１８】
パーティション１は、パネル１０と側面板２０，３０とが、パネル１０の突起１４と側面板２０，３０の挿入孔２２，３２との係合によって連結されている。パネル１０の左右側端辺１２が、側面板２０，３０と当接し、平面視略Ｈ字状に連結されている。そして、固定板４０，６０は、パネル１０と側面板２０，３０とが平面視略Ｈ字状に連結されて形成された左右の連結部分の各上端部で、パネル１０と側面板２０，３０を固定している。固定板４０，６０は、パネル１０と側面板２０，３０とを分離不能に係合するものであるが、固定板４０，６０によるパネル１０と側面板２０，３０に対する固定は可逆的であっても不可逆的であってもよい。
【００１９】
本考案に係るパーティション１は、パネル１０の突起１４と側面板２０，３０の挿入孔２２，３２との係合によってパネル１０と側面板２０，３０とが平面視略Ｈ字状に連結され、左右の連結部分の上端部で固定板４０，６０がパネル１０と側面板２０，３０とを分離不能に係合し、固定している。これにより、パーティション１は、構造が簡易で、簡単に組み立てることができ、連結部分が強固に固定されているため、移動も容易である。また、固定板４０，６０による可逆的固定であればパーティション１の分解、再組立が可能である。
【００２０】
固定板４０，６０によるパネル１０と側面板２０，３０の連結部分の形状について具体的に説明する。
まず、パネル１０は、左右側端辺１２の上部に水平方向にパネル上部切込み１６を有している。側面板２０，３０は、パネル上部切込み１６と同じ高さ位置に水平方向に側面板水平孔２４，３４、および、上端から垂直方向に側面板垂直切込み２６，３６を有している。
【００２１】
左右の連結部分の各上端部において、固定板４０，６０は、水平係合板４２，６２と垂直係合板５０，７０の２枚の薄板の組合せからなる。水平係合板４２，６２は、側面板水平孔２４，３４に挿通可能な水平係合板差し込み部４４，６４を含み、水平係合板差し込み部４４，６４に水平係合板孔４６，６６、および、水平係合板切込み４８，６８を有している。水平係合板切込み４８，６８は、水平係合板差し込み部４４，６４の先端部に設けられており、パネル上部切込み１６と嵌合可能な形状を有している。
【００２２】
垂直係合板５０，７０は、水平係合板孔４６，６６に挿入可能な垂直係合板突出片５２，７２、および、側面板垂直切込み２６，３６と嵌合可能な垂直係合板切込み５４，７４を有している。垂直係合板突出片５２，７２は、水平係合板孔４６，６６に挿入可能な形状を有し、垂直係合板切込み５４，７４は、側面板垂直切込み２６，３６と嵌合可能な形状を有している。
【００２３】
次に、固定板４０，６０によるパネル１０と側面板２０，３０の連結部分の連結手順について説明する。
水平係合板差し込み部４４，６４を側面板水平孔２４，３４に挿通し、水平係合板切込み４８，６８とパネル上部切込み１６とを嵌合させる。図６に示すような水平係合板４２，６２をパネル１０および側面板２０，３０に嵌合させた状態で、図７に示すように、垂直係合板５０，７０をパネル１０に平行密着させつつ、矢印の方向に移動させる。すると、垂直係合板突出片５２，７２が水平係合板孔４６，６６に挿通され、垂直係合板切込み５４，７４と側面板垂直切込み２６，３６とが嵌合する。そして、図８に示すように、パネル１０と側面板２０，３０の連結部分は、固定板４０，６０によって強固に固定される。
【００２４】
また、垂直係合板５０，７０が有する垂直係合板突出片５２，７２の数は、任意であり、１つでもよいが、複数でもよい。連結部分が強固に固定されるため、複数であること、特に２つであることが好ましい。図９に示すように、垂直係合板９０，１１０が、垂直係合板突出片９２，１１２，９３，１１３を各２つ有する場合、各２つの垂直係合板突出片９２，１１２，９３，１１３は、一方の垂直係合板突出片９２，１１２が水平係合板孔８６，１０６に挿通され、他方の垂直係合板突出片９３，１１３が水平係合板切込み８８，１０８に挿通されている。
【００２５】
また、パネル１０の突起１４およびそれに対応する側面板２０，３０の挿入孔２２，３２の数は任意である。しかし、パネル１０と側面板２０，３０との係合を強固にするため、パネル１０は、複数の突起１４を有し、側面板２０，３０は、パネル１０の各突起１４に対応するように複数の挿入孔２２，３２を有していることが好ましい。さらに、側面板２０，３０の形状は、略台形状で、幅方向略中央にパネル１０の各突起１４に対応するように複数の挿入孔２２，３２を有していることが好ましい。
【００２６】
パーティション１がウィルスを含む飛沫の拡散を防止することを目的に使用される場合には、パネル１０は、全部または一部が透明であることが好ましい。これにより、パネル１０を隔てて対面する人の様子がよく分かりコミュニケーションをとりやすい。
【実施例】
【００２７】
以下、実施例を示して本願のパーティションについて説明する。
【００２８】
［実施例１］
本実施例では、パーティション１は、図１〜８に示すように、パネル１０と、左右の側面板２０，３０と、水平係合板４２，６２および垂直係合板５０，７０からなる左右の固定板４０，６０とからなる。これらは全て厚さ約１ｍｍの透明のポリエチレンテレフタレート板からなる。
【００２９】
パネル１０は、図２に示すように、高さ５８０ｍｍ×幅９００ｍｍの略矩形の薄板であり、左右側端辺１２にそれぞれ３個の下方に延びた耳型の突起１４を有している。また、パネル１０は、左右側端辺１２の上端から約１０ｍｍの位置に水平方向に約１７ｍｍ×約２ｍｍのパネル上部切込み１６を有している。
【００３０】
側面板２０，３０は、図３に示すように、上辺１００ｍｍ、下辺２００ｍｍ、高さ５８０ｍｍの略台形状で、パネル１０の各突起１４に対応するように幅方向略中央に垂直方向に並ぶ３個の約４０ｍｍ×約２ｍｍの挿入孔２２，３２を有している。また、側面板２０，３０は、パネル上部切込み１６と同じ上端から約１０ｍｍの位置に水平方向に約２２ｍｍ×約２ｍｍの側面板水平孔２４，３４、および、上端から垂直方向に約７ｍｍの位置まで幅約２ｍｍの側面板垂直切込み２６，３６を有している。
【００３１】
水平係合板４２，６２は、図４に示すように、略Ｔ字形であり、Ｔ字の脚部となる、側面板水平孔２４，３４に挿通可能な水平係合板差し込み部４４，６４（長さ約２５ｍｍ×幅約２０ｍｍ）、および、Ｔ字の頭部となる、挿通完了位置まで挿通された時点で側面板２０，３０と接触する半楕円状の頭部（最大約１０ｍｍ×幅約８０ｍｍ）からなる。そして、水平係合板差し込み部４４，６４の幅方向略中央（幅方向の一方の側縁から約７ｍｍの位置）に約８ｍｍ×約２ｍｍの水平係合板孔４６，６６と、水平係合板差し込み部４４，６４の先端部の幅方向中央に約８ｍｍ×約２ｍｍの水平係合板切込み４８，６８を有している。
【００３２】
垂直係合板５０，７０は、図５に示すように、略Ｔ字形であり、Ｔ字の脚部となる約１５ｍｍ×約６ｍｍの垂直係合板突出片５２，７２、および、Ｔ字の頭部にあって約１０ｍｍ×約３５ｍｍの垂直係合板突出片８２，９２の根元に形成された約５ｍｍ×約１．５ｍｍの垂直係合板切込み５４，７４を有している。
【００３３】
図１，８に示すように、パーティション１は、パネル１０の突起１４が側面板２０，３０の挿入孔２２，３２に挿通され、それぞれ係合することによって平面視略Ｈ字状に連結され、水平係合板４２，６２と垂直係合板５０，７０の係合により固定されている。平面視略Ｈ字状の左右の連結部分の各上端部の側面板水平孔２４，３４とパネル上部切込み１６に水平係合板差し込み部４４，６４が挿通され、水平係合板切込み４８，６８とパネル上部切込み１６とが嵌合している。そして、垂直係合板５０，７０はパネル１０の正面側または背面側に平行密着しつつ、垂直係合板突出片５２，７２が水平係合板孔４６，６６に挿通され、垂直係合板切込み５４，７４と側面板垂直切込み２６，３６とが嵌合している。
【００３４】
パーティション１は、構造が簡易で、簡単に組み立てて、机上に配置して使用することができる。パネル１０と側面板２０，３０との連結部分の各上端部が強固に固定されているため、パーティション１を持ち上げる等して移動させることも容易である。また、水平係合板４２，６２および垂直係合板５０，７０を取り外せば固定板４０，６０とパネル１０、側面板２０，３０との係合固定は可逆的に解消され、パネル１０の突起１４と側面板２０，３０の挿入孔２２，３２との係合も可逆的であるので、パーティション１は分解、再組立が可能である。
【００３５】
［実施例２］
本考案に係る第２の実施例であるパーティション２は、固定板８０，１００以外は、実施例１のパーティション１と同様のパネル１０、左右の側面板２０，３０を備えている。固定板８０，１００を構成する水平係合板８２，１０２も垂直係合板９０，１１０も厚さ約１ｍｍの透明のポリエチレンテレフタレート板からなる。
【００３６】
水平係合板８２，１０２は、図４に示す水平係合板４２，６２とほぼ同様に、略Ｔ字形であり、水平係合板差し込み部８４，１０４（長さ約２０ｍｍ×幅約２５ｍｍ）と、半楕円状の頭部（幅約８０ｍｍ×最大約１０ｍｍ）とからなる。そして、水平係合板差し込み部８４，１０４の幅方向略中央（幅方向の一方の側縁から約７ｍｍの位置）に約８ｍｍ×約２ｍｍの水平係合板孔８６，１０６、および、水平係合板差し込み部８４，１０４の先端部の幅方向略中央（幅方向の一方の側縁から約８ｍｍの位置）に約８ｍｍ×約２ｍｍの水平係合板切込み８８，１０８を有している。
【００３７】
垂直係合板９０，１１０は、図９に示すように、実施例１の略Ｔ字形の垂直係合板５０，７０のＴ字の頭部の一方の端部から延びる垂直係合板突出片９３，１１３をさらに有している。垂直係合板９０，１１０は、垂直係合板５０，７０と同様にＴ字の脚部となる約１５ｍｍ×約６ｍｍの垂直係合板突出片９２，１１２、および、約１５ｍｍ×約８ｍｍの垂直係合板突出片９３，１１３と、約１０ｍｍ×約３５ｍｍのＴ字の頭部にあって垂直係合板突出片９２，１１２の根元に形成された約５ｍｍ×約１．５ｍｍの垂直係合板切込み９４，１１４を有している。
【００３８】
水平係合板８２，１０２がパネル１０および側面板２０，３０に嵌合した状態で、垂直係合板９０，１１０をパネル１０の正面側または背面側に平行密着させつつ、一方の垂直係合板突出片９２，１１２が水平係合板孔８６，１０６に挿通され、他方の垂直係合板突出片９３，１１３が水平係合板切込み８８，１０８に挿通され、垂直係合板切込み９４，１１４と側面板垂直切込み２６，３６とが嵌合している。このことによって、パネル１０と側面板２０，３０との連結部分がより強固に固定されている。
【００３９】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００４０】
本考案により、構造が簡易で、簡単に組み立てられ、固定板によりパネルと側面板とを分離不能に係合することにより連結部分が強固に固定されたパーティションを提供することができる。
【符号の説明】
【００４１】
１・・・・・パーティション
２・・・・・パーティション
１０・・・・パネル
１２・・・・側端辺
１４・・・・突起
１６・・・・パネル上部切込み
２０・・・・側面板
２２・・・・挿入孔
２４・・・・側面板水平孔
２６・・・・側面板垂直切込み
３０・・・・側面板
３２・・・・挿入孔
３４・・・・側面板水平孔
３６・・・・側面板垂直切込み
４０・・・・固定板
４２・・・・水平係合板
４４・・・・水平係合板差し込み部
４６・・・・水平係合板孔
４８・・・・水平係合板切込み
５０・・・・垂直係合板
５２・・・・垂直係合板突出片
５４・・・・垂直係合板切込み
６０・・・・固定板
６２・・・・水平係合板
６４・・・・水平係合板差し込み部
６６・・・・水平係合板孔
６８・・・・水平係合板切込み
７０・・・・垂直係合板
７２・・・・垂直係合板突出片
７４・・・・垂直係合板切込み
８０・・・・固定板
８２・・・・水平係合板
８４・・・・水平係合板差し込み部
８６・・・・水平係合板孔
８８・・・・水平係合板切込み
９０・・・・垂直係合板
９２・・・・垂直係合板突出片
９３・・・・垂直係合板突出片
９４・・・・垂直係合板切込み
１００・・・固定板
１０２・・・水平係合板
１０４・・・水平係合板差し込み部
１０６・・・水平係合板孔
１０８・・・水平係合板切込み
１１０・・・垂直係合板
１１２・・・垂直係合板突出片
１１３・・・垂直係合板突出片
１１４・・・垂直係合板切込み
【図１】
0003227675.tif 000003
【図２】
0003227675.tif 000004
【図３】
0003227675.tif 000005
【図４】
0003227675.tif 000006
【図５】
0003227675.tif 000007
【図６】
0003227675.tif 000008
【図７】
0003227675.tif 000009
【図８】
0003227675.tif 000010
【図９】
0003227675.tif 000011